(57)【要約】      （修正有）【課題】貼付や結着などの作業を伴わずかつ、名刺用紙以外の紙片を用いず容易に立体を形成する名刺を低コストで製造する立体名刺及び立体名刺が印刷できる立体名刺印刷用紙を提供する。【解決手段】通常サイズの名刺が短辺方向に３枚が連なっており、それぞれの境界には折り目が入っており、第一名刺部２０・第二名刺部２１・第三名刺部２２で構成されている。第一名刺部と第二名刺部を跨いで立体部４０Ａがあり、その短辺方向に２本の切れこみ３０Ａ、３１Ａが入っている。第一名刺部と第二名刺部それぞれの切れこみの端と端を結ぶ折り目３Ａ、４Ａが設けられており、その折り目は長辺方向と平行になっている。切れこみと折り目のみで立体名刺を構成することができる。【選択図】図２
0003195161.tif 000002
【実用新案登録請求の範囲】
【請求項１】
第一名刺部と第二名刺部および第三名刺部の各名刺部の長辺方向が連結して構成されており、各名刺部の境界の全部或は一部に境界折り目を有しており、第一名刺部と第二名刺部に跨った位置に立体部が存在し、前記立体部周縁の名刺長辺方向は折り目で構成され前記立体部周縁の名刺短辺方向は切れこみで構成され、前記立体部内に前記折り目と平行した折り目があり、前記立体部周縁の前記第一名刺部側の折り目から前記第一名刺部と前記第二名刺部の境にある境界折り目までの長さと前記立体部周縁の前記第二名刺部側の折り目から前記立体部内にある折り目までの長さが等しく、前記各折り目と前記各境界折り目が平行していることを特徴とする立体名刺。
【請求項２】
請求項１に記載の立体名刺が印刷できる立体名刺印刷用紙であって、前記立体名刺に印刷した後に各立体名刺が簡単に切り離せるようミシン目が設けられており、かつ立体名刺の立体組立てができるよう請求項１に記載の位置に折り目と境界折り目および切れこみを有することを特徴とする立体名刺印刷用紙。
【請求項３】
第一デザインカード部、第二デザインカード部および第三デザインカード部の各デザインカード部の長辺方向が連結して構成されており、各デザインカード部の境界の全部或は一部に境界折り目を有しており、第一デザインカード部と第二デザインカード部に跨った位置に立体部が存在し、前記立体部周縁のデザインカード長辺方向は折り目で構成され前記立体部周縁のデザインカード短辺方向は切れこみで構成され、前記立体部内に前記折り目と平行した折り目があり、前記立体部周縁の前記第一デザインカード部側の折り目から前記第一デザインカード部と前記第二デザインカード部の境にある境界折り目までの長さと前記立体部周縁の前記第二デザインカード部側の折り目から前記立体部内にある折り目までの長さが等しく、前記各折り目と前記各境界折り目が平行していることを特徴とする立体デザインカード。
【請求項４】
請求項３に記載の立体デザインカードが印刷できる立体デザインカード印刷用紙であって、前記立体デザインカード印刷用紙に印刷した後に各立体デザインカードが簡単に切り離せるようミシン目が設けられており、かつ立体デザインカードの立体組立てができるよう請求項３に記載の位置に折り目と境界折り目および切れこみを有することを特徴とする立体デザインカード印刷用紙。
【考案の詳細な説明】
【技術分野】
【０００１】  本考案は、訴求力の高い名刺に関するものである。
【背景技術】
【０００２】  従来より、訴求力を高めるため名刺上で立体を表現する名刺があった。例えば特許文献１では、折り畳める２枚組の名刺の内側に表示片の両端を２枚組の双方の一部に張り付けた物である。例えば特許文献２では折り曲げた３枚の名刺上に開くと立体に供するシートが貼付されている名刺が表されている。非特許文献１では、折り畳める名刺の相対する紙片に切り込みを入れており開いたときに切り込みの入った部分が突出して立体を表現できる名刺が表されている。更に非特許文献２では３枚組の名刺の真ん中と端側の名刺の一部に切り込みを入れ、切り込みの一部と端側の名刺の一部を結着することで名刺を開くと真ん中の切り込みが起立して立体を表現するが表されている。
【先行技術文献】
【特許文献】
【０００３】
【特許文献１】特開平９−２６３０７７
【特許文献２】特開２０１１−３１５７３
【非特許文献】
【０００４】
【非特許文献１】実用新案登録第３１４６２７６号
【非特許文献２】実用新案登録第３１３３３１３号
【考案の概要】
【考案が解決しようとする課題】
【０００５】  先行技術文献では、名刺において立体を表現する際にそれぞれ課題がある。
まず、名刺を構成する立体部分において立体部を構成する紙片に貼付や結着というひっつける作業が発生している。この作業は名刺を作る際の工程を増やし、名刺の単価を上げてしまう。特許文献１、特許文献２、非特許文献２は当該の作業を有している。
更に特許文献１、特許文献２は名刺用紙だけではなく別の紙片が必要である
本考案では名刺で立体を表現する際に貼付や結着などのひっつける作業を伴わないこと、更に名刺用紙以外の紙片を用いず、立体に供する部分は名刺本体に切れこみを入れることにより低コストでの製造することを課題とする。【０００６】  着座した状態の商談で名刺を使用する場合、名刺を机上に置いたときに立体部分が相手の正面に向かっている状態であることが訴求という意味で望ましい。
特許文献１では自然に閉じてしまい、特許文献２ではわざわざ組み立てる必要がある。
非特許文献１の形状は机上に置くには邪魔になる形状でありまた自然に閉じてしまう可能性が高い。非特許文献２は両端の名刺片を保持しておかないと自然に閉じてしまう。
本考案では机上に置いた場合でも、立体形状が保持されることを課題とする。【０００７】  名刺の製作において、現状では名刺業者にて製作する場合と、専用用紙とパソコン・プリンターおよび専用のソフトウエアにてユーザー自身で製作する場合がある。近年は、後者による名刺の製作が増えている。全先行文献において、専用用紙にプリントアウトするだけで当該の名刺を作ることができない。
本考案では専用用紙とパソコン・プリンターおよび専用のソフトウエアにてユーザー自身で立体表現のできる名刺を製作することを課題とする。
【課題を解決するための手段】
【０００８】  本考案である立体名刺は、通常のサイズの名刺（９１ｍｍ×５５ｍｍ）が短辺方向に３枚が連なっており（９１ｍｍ×１６５ｍｍ）、それぞれの境界には折り目が入っており、第一名刺部・第二名刺部・第三名刺部で構成されている。【０００９】  第一名刺部と第二名刺部を跨いで短辺方向に２本の切れこみが入っている。第一名刺部と第二名刺部それぞれの切れこみの端と端を結ぶ折り線が設けられており、その折り線は長辺方向と平行になっている。【００１０】  第一名刺部・第二名刺部・第三名刺部の表面に印刷する。２本の切れこみの間に立体化させるべき印刷を施す。
第一名刺部と第二名刺部の境界を谷折・第二名刺部と第三名刺部の境界を山折とし、切れこみと折り線に囲まれた部位を前面に押し出し、それぞれの折り線を谷折にし、第一名刺部・第二名刺部の境界を山折にする。【００１１】  第一名刺部の裏面を机上表面に置き、第二名刺部と第三名刺部で山を形成することにより、机上で立体部が保持された状態になる。【００１２】  ユーザーが自分でプリントする名刺用紙として一般的にはＡ４サイズの用紙が使用される。Ａ４サイズの用紙に本考案の名刺は３セット配置することができ、歩留まりも約７０％と高く無駄なく用紙を使用することができる。名刺用紙には予め切れこみと折り線を入れておくことにより、当該用紙に印刷することで、ユーザー自身で簡単に立体表現のできる名刺を作成することができる。
【考案の効果】
【００１３】  本考案は簡単な構造で訴求力のある立体表現のできる名刺を実現でき、また、パソコンとプリンターがあればユーザー自身で立体表現のできる名刺を製作することができる。【００１４】  本考案の機構は名刺に限らずショップカードやグリーティングカードやウェディングカードなど名刺よりも大きなサイズのカードを机上において紹介する機能を有する立体デザインカードとして応用できる。
【図面の簡単な説明】
【００１５】
【図１】本考案の第一の実施形態の平面図
【図２】本考案の第一の実施形態の組立状態を表す斜視図
【図３】本考案の第二の実施形態の平面図
【図４】本考案の第二の実施形態の組立状態を表す斜視図
【図５】本考案の第三の実施形態の平面図
【図６】本考案の第三の実施形態の組立状態を表す斜視図
【図７】本考案の第一の実施形態をＡ４用紙に配列した状態を表す平面図
【図８】本考案の第四の実施形態をＡ４用紙に配列した状態を表す平面図
【考案を実施するための形態】
【００１６】  （第一実施形態１）
図１に示す通り、本考案の立体名刺１０Ａは第一名刺部２０、第二名刺部２１、第三名刺部２２の３つの部位で構成されている。各名刺部の大きさは通常名刺として使用される大きさ（９１ｍｍ×５５ｍｍ）である。第一名刺部２０と第二名刺部２１は境界折り目１Ａを境界に名刺長辺方向が連なっている。また、第二名刺部２１と第三名刺部２２は境界折り目２を境界に名刺長辺方向が連なっている。
立体部４０Ａは第一名刺部２０および第二名刺部２１を跨がった位置に存在する。立体部４０Ａの周縁には名刺長辺方向に折り目３Ａと折り目４Ａを有し、名刺短辺方向に切れこみ３０Ａと切れこみ３１Ａを有している。即ち、立体部４０Ａの周縁は名刺長辺方向が折り目で構成され、名刺短辺方向が切れこみで構成されている。切れこみ３０Ａおよび切れこみ３１Ａは境界折り目１Ａで等分されている（図１において距離ａで表す）。また、折り目３Ａおよび折り目４Ａおよび境界折り目１Ａは互いに平行である。
【００１７】（第一実施形態２）
図２は立体名刺１０Ａの立体状態を表す。立体部４０Ａ内部を除く境界折り目１Ａを谷折り、境界折り目２を山折とし第二名刺部２１と第三名刺部２２で山型を形成する。立体部４０Ａを前方に引き出すため折り目３Ａおよび折り目４Ａを谷折とし立体部４０Ａ内にある境界折り目１Ａは山折とする。この折り方にすることで第三名刺部２２が後方の支えとなり立体名刺１０Ａは立体部４０Ａの立体を形成した状態で保持される。４０Ａには立体がふさわしいデザインを描くことにより訴求力が高まる。
【００１８】（第二実施形態１）
図３は本考案である立体名刺の第二の実施形態（立体名刺１０Ｂ）であり第一の実施形態（立体名刺１０Ａ）と立体の形状が異なる。立体名刺１０Ａでは立体部位を構成する面積が第一名刺部２０と第二名刺部２１で等しい状態を表現したが、立体名刺１０Ｂでは立体部位を構成する面積が第一名刺部２０と第二名刺部２１とで異なる場合を表したものである。
図３に示す通り、本考案の立体名刺１０Ｂは第一名刺部２０、第二名刺部２１、第三名刺部２２の３つの部位で構成されている。各名刺部の大きさは通常名刺として使用される大きさ（９１ｍｍ×５５ｍｍ）である。第一名刺部２０と第二名刺部２１は境界折り目１Ｂを境界に名刺長辺方向が連なっている。また、第二名刺部２１と第三名刺部２２は境界折り目２を境界に名刺長辺方向が連なっている。
また、図３に示す通り立体部４０Ｂは第一名刺部２０と第二名刺部２１の跨がった位置に存在する。立体部４０Ｂの周縁には名刺長辺方向に折り目３Ｂと折り目４Ｂを有し、名刺短辺方向に切れこみ３０Ｂと切れこみ３１Ｂを有している。立体部４０Ｂの周縁は名刺長辺方向が折り目で構成され、名刺短辺方向が切れこみで構成されている。更に、立体部４０Ｂ内に折り目４Ｂと平行な折り目５Ｂがあり、また境界折り目１Ｂから折り目３Ｂの距離と折り目４Ｂから折り目５Ｂまでの距離が等しい（図３において距離ｂで表す）。また折り目３Ｂと折り目４Ｂと折り目５Ｂおよび境界折り目１Ｂは互いに平行である。
【００１９】（第二実施形態２）
図４は立体名刺１０Ｂの立体状態を表す。境界折り目１Ｂを谷折り、立体部４０Ｂを前方に引き出して立体を形成するため折り目３Ｂおよび折り目４Ｂを谷折とし立体部４０Ｂ内にある折り目５Ｂは山折とする。この折り方にすることで第三名刺部２２が後方の支えとなり立体名刺１０Ｂは立体部４０Ｂの立体を形成した状態で保持される。
【００２０】（第三実施形態１）
図５は本考案である立体名刺の第三の実施形態（立体名刺１０Ｃ）であり、第一および第二の実施形態と立体の形状が異なり、立体部位が矩形ではなくＬ字型を形成する。
図５に示す通り、本考案の立体名刺１０Ｃは第一名刺部２０、第二名刺部２１、第三名刺部２２の３つの部位で構成されている。各名刺部の大きさは通常名刺として使用される大きさ（９１ｍｍ×５５ｍｍ）である。第一名刺部２０と第二名刺部２１は境界折り目１Ｃを境界に名刺長辺方向が連なっている。また、第二名刺部２１と第三名刺部２２は境界折り目２を境界に名刺長辺方向が連なっている。
図５に示す通り立体部４０Ｃは第一名刺部２０と第二名刺部２１の跨がった位置に存在する。立体部４０Ｃ周縁の名刺長辺方向に折り目３Ｃと折り目４Ｃと折り目５Ｃおよび折り目６Ｃを有し、立体部４０Ｃ周縁の名刺短辺方向に切れこみ３０Ｃと切れこみ３１Ｃおよび切れこみ３２Ｃを有している。立体部４０Ｃの周縁は名刺長辺方向が折り目で構成され、名刺短辺方向が切れこみで構成されているという特徴がある。更に、立体部４０Ｃ内部において折り目４Ｃと平行な折り目５Ｃがあり、また境界折り目１Ｃと折り目３Ｃの距離と折り目４Ｃから折り目５Ｃまでの距離が等しい（図５において距離ｃで表す）。また、折り目６Ｃを折り目５Ｃと境界折り目１Ｃの間に有し、切れこみ３２Ｃを切れこみ３０Ｃと切れこみ３１Ｃの間に有している。また、折り目３Ｃと折り目４Ｃと折り目５Ｃおよび折り目６Ｃおよび境界折り目１Ｃは互いに平行である。
【００２１】（第三実施形態２）
図６は立体名刺１０Ｃの立体状態を表す。境界折り目１Ｃを谷折り、境界折り目２を山折とし第二名刺部２１と第三名刺部２２で山型を形成する。立体部４０Ｃを前方に引き出すため折り目３Ｃおよび折り目４Ｃを谷折とし立体部４０Ｃ内にある折り目５Ｃは山折とする。立体部４０Ｃの内部にある折り目６Ｃは山折し立体部４０Ｃの周縁になる折り目５Ｃを谷折する。この折り方にすることで立体部４０ＣはＬ字形状の立体を形成し、第三名刺部２２が後方の支えとなり立体名刺１０Ｃは立体部４０Ｃの立体を形成した状態で保持される。
【実施例１】
【００２２】  図７は本考案の第一の実施形態である立体名刺１０Ａをパソコンで任意に印刷するための立体名刺印刷用紙５０である。立体名刺印刷用紙５０は日本工業規格Ａ列４列４番の規格サイズ用紙（通称Ａ４用紙）である。同用紙上に立体名刺１０Ａは３つ配列することができた。用紙全面に対する名刺部の歩留まりは約７０％である。
各立体名刺１０Ａの周縁は印刷後に容易に切り取れるようにミシン目６０が入っている。
パソコンにて任意のデザインを描き、プリンタにて立体名刺印刷用紙５０に印刷した。印刷後、立体名刺１０Ａをミシン目６０に従って切り離し、用紙に設けられている切れこみ及び折り目を用いて［００１７］の要領で組み立てた。指先だけで容易に組み立てることができた。
【実施例２】
【００２３】  図１乃至図６において各種切れ目は折り目と直交する関係になっているが、切れ目を折り目に対し斜めに入れても立体を形成することができた。
【実施例３】
【００２４】  図８に示すとおり、本考案の立体デザインカード１１は第一デザインカード部２０Ｄ、第二デザインカード部２１Ｄ、第三デザインカード部２２Ｄの３つの部位で構成されている。各デザインカード部の大きさは１６５ｍｍ×９１ｍｍとした。第一デザインカード部２０Ｄと第二デザインカード部２１Ｄは境界折り目１Ｄを境界にデザインカード長辺方向が連なっている。また、第二デザインカード部２１Ｄと第三デザインカード部２２Ｄは境界折り目２Ｄを境界にデザインカード長辺方向が連なっている。
図８に示す通り立体部４０Ｄは第一デザインカード部２０Ｄと第二デザインカード部２１Ｄの跨がった位置に存在する。立体部４０Ｄの周縁にはデザインカード長辺方向に折り目３Ｄと折り目４Ｄを有し、デザインカード短辺方向に切れこみ３０Ｄと切れこみ３１Ｄを有している。立体部４０Ｄの周縁はデザインカード長辺方向が折り目で構成され、デザインカード短辺方向が切れこみで構成されている。更に、立体部４０Ｄ内に折り目４Ｄと平行な折り目５Ｄを有する。また境界折り目１Ｄと折り目３Ｄの距離と折り目５Ｄと折り目４Ｄの距離は等しい（図８において距離ｄで表す）。また、折り目３Ｄと折り目４Ｄと折り目５Ｄおよび境界折り目１Ｄは互いに平行である。
図８に記載のとおり、名刺としての使用ではなく店内広告用の立体デザインカード５１を日本工業規格Ａ列４列４番の規格サイズ用紙（通称Ａ４用紙）である立体デザインカード印刷用紙５１に印刷した。ミシン目６０に従って立体デザインカード５１を切りはずし、用紙に設けられている切れこみ及び折り目を用いて立体デザインカード５１を容易に組み立てることができた。机上に置いた立体デザインカード５１はデザインされた立体部４０Ｄを目立たせて、店舗用のグリーティングカードとして使用した。
尚、立体デザインカード用紙はＡ４サイズに限らず、また立体デザインカードのサイズは１６５ｍｍ×９１ｍｍに限らなくともよい。
【産業上の利用可能性】
【００２５】  本考案は１枚の用紙に折り目および切れこみを入れるだけで自立可能な立体型名刺を実現できる利便性がある。使用頻度の高いＡ４用紙に３セット構成でき歩留まりも７０％以上と高い。立体名刺印刷用紙５０にあわせて立体名刺専用のソフトで名刺デザインを行えるようにすることでユーザーは簡単に立体名刺を自分でデザイン・作成することができる。
【符号の説明】
【００２６】１Ａ    境界折り目
１Ｂ    境界折り目
１Ｃ    境界折り目
１Ｄ    境界折り目
２      境界折り目
２Ｄ    境界折り目
３Ａ    折り目
３Ｂ    折り目
３Ｃ    折り目
３Ｄ    折り目
４Ａ    折り目
４Ｂ    折り目
４Ｃ    折り目
４Ｄ    折り目
５Ｂ    折り目
５Ｃ    折り目
５Ｄ    折り目
６Ｃ    折り目
１０Ａ  立体名刺
１０Ｂ  立体名刺
１０Ｃ  立体名刺
１１    立体デザインカード
２０    第一名刺部
２０Ｄ  第一デザインカード部
２１    第二名刺部
２１Ｄ  第二デザインカード部
２２    第三名刺部
２２Ｄ  第三デザインカード部
３０Ａ  切れこみ
３０Ｂ  切れこみ
３０Ｃ  切れこみ
３０Ｄ  切れこみ
３１Ａ  切れこみ
３１Ｂ  切れこみ
３１Ｃ  切れこみ
３１Ｄ  切れこみ
３２Ｃ  切れこみ
４０Ａ  立体部
４０Ｂ  立体部
４０Ｃ  立体部
４０Ｄ  立体部
５０    立体名刺印刷用紙
５１    立体デザインカード印刷用紙
６０    ミシン目
【図１】
0003195161.tif 000003
【図２】
0003195161.tif 000004
【図３】
0003195161.tif 000005
【図４】
0003195161.tif 000006
【図５】
0003195161.tif 000007
【図６】
0003195161.tif 000008
【図７】
0003195161.tif 000009
【図８】
0003195161.tif 000010